(57)【要約】【課題】  丸録り番組において、ユーザの好みの番組を保存する期間をユーザが設定できるようにすることが課題になっていた。【解決手段】  実施形態の録画装置は、複数の放送番組を同時に受信し、記録部に連続的に録画する録画部を備える。  また、前記放送番組のジャンルに応じて保存期間が設定されている場合は、保存期間が設定されているジャンルに該当する放送番組の放送時間情報と前記設定されている保存期間を用い、前記ジャンルに該当する放送番組の保存日を算出する算出部を備える。  また、前記算出された放送番組の保存日を出力する出力部を備える。【選択図】  図５
2013131864.tif 000002
【特許請求の範囲】
【請求項１】
複数の放送番組を同時に受信し、記録部に連続的に録画する録画部と、
前記放送番組のジャンルに応じて保存期間が設定されている場合は、保存期間が設定されているジャンルに該当する放送番組の放送時間情報と前記設定されている保存期間を用い、前記ジャンルに該当する放送番組の保存日を算出する算出部と、
前記算出された放送番組の保存日を出力する出力部を備える録画装置。
【請求項２】
前記ジャンルに応じた保存期間の設定に用いられる入力画面を出力する入力画面出力部を備える請求項１に記載の録画装置。
【請求項３】
前記ジャンルに応じた保存期間が設定された放送番組を、前記連続的な録画の他に、録画する請求項１に記載の録画装置。
【請求項４】
前記ジャンルに応じた保存期間が設定され、録画された放送番組のリストを出力するリスト出力部を備える請求項３に記載の録画装置。
【請求項５】
前記放送番組のリストで指定された番組を再生出力する再生出力部を備える請求項４に記載の録画装置。
【請求項６】
前記算出された前記放送番組の保存日を記憶する記憶部を備える請求項１に記載の録画装置。
【請求項７】
前記記憶された放送番組の保存日が過ぎたかを検出する検出部を備え、前記放送番組の保存日が過ぎたことが検出された場合に、保存日が過ぎた放送番組を消去指示する請求項６に記載の録画装置。
【請求項８】
複数の放送番組を同時に受信し、記録部に連続的に録画するステップと、
前記放送番組のジャンルに応じて保存期間が設定されている場合は、保存期間が設定されているジャンルに該当する放送番組の放送時間情報と前記設定されている保存期間を用い、前記ジャンルに該当する放送番組の保存日を算出するステップと、
前記算出された放送番組の保存日を出力するステップを備える録画方法。
【請求項９】
複数の放送番組を同時に受信し、記録部に連続的に録画するステップと、
前記放送番組のジャンルに応じて保存期間が設定されている場合は、保存期間が設定されているジャンルに該当する放送番組の放送時間情報と前記設定されている保存期間を用い、前記ジャンルに該当する放送番組の保存日を算出するステップと、
前記算出された放送番組の保存日を出力するステップを備える録画装置の制御プログラム。
【発明の詳細な説明】
【技術分野】
【０００１】
本発明の実施形態は、録画装置、録画方法、録画装置の制御プログラムに関する。
【背景技術】
【０００２】
近年、複数の放送番組を同時に受信（マルチ受信）し、丸ごと録画（丸録り）することが可能な録画装置が普及しつつある。
【０００３】
これらの放送番組のマルチ受信および丸録りが可能な録画装置は、連続的に、後続番組のマルチ受信と丸録りを行なうこと、また、録画機器の記憶容量にも限りがあること等の理由から、上記録画された放送番組を予め決められた時間（例えば２４時間分）だけ保持し、この時間が経過したら録画番組を順次消去（あるいは削除）するようになっていることが一般的である。
【０００４】
しかし、上記録画番組の中にユーザの好みの番組が含まれていたとしても、上記のように、予め決められた時間が経過すると録画番組が消去されてしまう。
【０００５】
このため、丸録り番組にユーザの好みの番組が含まれていても、一律に消去されてしまうことが問題になっていた。
【０００６】
このため、丸録り番組において、ユーザの好みの番組を保存する期間をユーザが設定できるようにすることが課題になっていた。
【先行技術文献】
【特許文献】
【０００７】
【特許文献１】特開２００４−２２０６９６号公報
【発明の概要】
【発明が解決しようとする課題】
【０００８】
丸録り番組において、ユーザの好みの番組を保存する期間をユーザが設定できるようにすることが課題になっていた。
【課題を解決するための手段】
【０００９】
実施形態の録画装置は、複数の放送番組を同時に受信し、記録部に連続的に録画する録画部を備える。
【００１０】
また、前記放送番組のジャンルに応じて保存期間が設定されている場合は、保存期間が設定されているジャンルに該当する放送番組の放送時間情報と前記設定されている保存期間を用い、前記ジャンルに該当する放送番組の保存日を算出する算出部を備える。
【００１１】
また、前記算出された放送番組の保存日を出力する出力部を備える。
【図面の簡単な説明】
【００１２】
【図１】実施形態に係わる録画装置の外観を示す図。
【図２】実施形態に係わる録画装置の構成の一例を示すブロック図。
【図３】実施形態に係わる録画装置から出力される、保存期間の設定をユーザが入力する入力画面の一例を示す図。
【図４】実施形態に係わる録画装置から出力される、保存期間を設定する番組のジャンルを一覧表示し、保存期間を設定可能にする入力画面の一例を示す図。
【図５】実施形態に係わる録画装置から出力される、保存期間設定番組の録画リストを示す図。
【図６】実施形態に係わる録画装置の録画動作を説明するフローチャート。
【図７】実施形態に係わる録画装置において、保存期間が設定された番組を再生する動作を説明するフローチャート。
【図８】実施形態に係わる録画装置において、設定された保存期間が過ぎた番組を消去する動作を説明するフローチャート。
【発明を実施するための形態】
【００１３】
以下、図面を参照し、実施の形態を説明する。
【００１４】
図１は、実施形態に係わる録画装置の外観を示す図である。
【００１５】
この実施形態においては、録画装置１は、複数の放送番組を同時に受信（マルチ受信）し、記録部に連続的に録画する（丸録り）。
【００１６】
そして、ユーザは、例えば、リモートコントローラ（リモコン）２０を操作し、上記丸録り（録画）された複数の放送番組を選択、指定可能な電子番組表（ＥＰＧ）１００を表示する。
【００１７】
そして、この電子番組表（ＥＰＧ）１００から所望の番組を指定し、再生を指示する。
【００１８】
ここで、電子番組表（ＥＰＧ、Ｅｌｅｃｔｒｏｎｉｃ  Ｐｒｏｇｒａｍ  Ｇｕｉｄｅ）の説明をする。
【００１９】
ＥＰＧは、テレビの画面に番組表を表示するシステムであり、「電子番組ガイド」とも呼ばれる。例えば、放送波を使って番組表データを送出し、テレビで受信する方式と、テレビに接続するインターネットを利用する方式等がある。
【００２０】
ここでは、放送波を使って番組表データを送出する例を用いて説明を行うが、インターネットを利用して番組表データを送出するように構成することも可能である。
【００２１】
そして、このＥＰＧデータは、電子番組表の表示や録画予約等に用いることができる。
【００２２】
また、この実施形態においては、後述するように、録画装置１は、例えば、放送番組のジャンルに応じて「保存期間」を設定することが可能である。
【００２３】
そして、放送番組のジャンルに応じた「保存期間」が設定されている場合は、その「保存期間」が設定されているジャンルに該当する放送番組の放送時間情報と上記設定されている「保存期間」を用い、上記ジャンルに該当する放送番組の「保存日」を算出することが可能である。
【００２４】
そして、上記算出された放送番組の「保存日」を、ユーザが視認できるように出力する。
【００２５】
なお、ここでの説明では、録画装置１が、表示画面８を構成する例を用いて説明を行うが、例えば、チューナ内蔵ハードディスクレコーダやＳＴＢ（セットトップボックス）等のように、録画装置１は、表示画面８を別体で構成することも可能である。
【００２６】
図２は、実施形態に係わる録画装置の構成の一例を示すブロック図である。
【００２７】
ここでは、放送番組は、放送局２５ａ、２５ｂ等の複数の放送局から、複数の番組が放送される。
【００２８】
アンテナ２は録画装置１に接続される。また、録画装置１は、複数のチューナ（３ａ、３ｂ、３ｃ、３ｄ、３ｅ、３ｆ等）を構成する。
【００２９】
複数の放送局２５ａ、２５ｂ等から放送波の形態で放送された複数の番組（放送信号）がアンテナ２で受信され、チューナ（３ａ、３ｂ、３ｃ、３ｄ、３ｅ、３ｆ等）に送信される。
【００３０】
チューナ（３ａ、３ｂ、３ｃ、３ｄ、３ｅ、３ｆ等）では、複数の番組（放送信号）を選局受信し、信号処理部４へ出力する。
【００３１】
ここでは、制御部１１のＭＰＵ１２は、チューナ（３ａ、３ｂ、３ｃ、３ｄ、３ｅ、３ｆ等）、信号処理部４、映像処理部５、音声処理部６、表示処理部７、ＲＡＭ１３、ＲＯＭ１４、フラッシュメモリ１５、記録部１６、外部インターフェース１７、操作受信部１９、操作機器（リモートコントローラ）２０、送受信部２１とそれぞれ、バス１０を介して接続され、これらを制御する。
【００３２】
信号処理部４は、チューナ（３ａ、３ｂ、３ｃ、３ｄ、３ｅ、３ｆ等）で選局され、同時（並列）に送信された複数の番組に係る映像信号に同時（並列）にデコード処理を施し、トランスポートストリーム（ＴＳ）のフォーマットで、記録部１６へ映像信号を出力する。
【００３３】
記録部１６は、ＨＤＤやＳＳＤ等の記録部を備えた大容量の録画装置（映像信号蓄積装置）であり、ここでは映像表示装置１の内部に構成される。
【００３４】
記録部１６は、トランスポートストリーム（ＴＳ）のフォーマットで送信された映像信号を連続的に受信し、受信した複数の放送番組を全て、記録部１６に録画する（丸録り）。
【００３５】
記録部１６に丸録りされた放送番組を視聴する際は、丸録りされた放送番組の番組表である過去番組表から、ユーザが所定の番組を指定する。この指定された番組が表示装置８に表示され、視聴される。
【００３６】
上記過去番組表は、例えば、制御部１１の録画番組表生成部２２で生成される。
【００３７】
また、ユーザに指定され、丸録りされた放送番組の映像信号は、信号処理部４でデコード処理され、それぞれ音声信号と映像信号を抽出し、出力する。
【００３８】
音声信号は音声処理部６に出力される。映像信号は映像処理部５に出力される。
【００３９】
音声処理部６は出力された音声信号にデコード処理を行い、スピーカ９へ出力する。スピーカ９はデコード処理された音声信号を受信し、音声に変換して出力する。
【００４０】
映像処理部５は出力された映像信号にデコード処理を行い、表示処理部７へ出力する。表示処理部７は色や表示位置等の表示処理を行い、表示装置８へ出力する。表示装置８は表示処理された映像信号を受信し、図示しない表示パネル等の表示部に表示する。
【００４１】
また、この実施の形態においては、外部インターフェース１７を介して、映像表示装置１の外部にＨＤＤやＳＳＤ等の記憶媒体を備える外部記憶装置１８が接続され、上記記録部１６と同様に用いることが可能である。
【００４２】
また、操作受信部１９を介して、リモートコントローラやキーボード等の操作機器２０が接続され、映像表示装置１のユーザ操作が可能である。
【００４３】
また、送受信部２１を介して、インターネット２６に接続され、インターネット通信が可能である。
【００４４】
また、上記においては、チューナ（３ａ、３ｂ、３ｃ、３ｄ、３ｅ、３ｆ等）は丸録りに用いられる説明を行ったが、ＰＶＲ録画にも用いることが可能である。
【００４５】
図３は、実施形態に係わる録画装置から出力される、「保存期間」の設定をユーザが入力する入力画面の一例を示す図である。
【００４６】
この実施形態においては、ユーザが、丸録りされる放送番組の「保存期間」を入力し、録画装置１に設定することが可能である。
【００４７】
ユーザは、例えば、リモコン２０を操作し、この図３に示す入力画面を表示装置の表示画面８に出力表示する。
【００４８】
そして、ユーザは、この表示画面８を見ながら、「保存期間」の設定を行ないたい「放送番組のジャンル」を選択／指定する。
【００４９】
ここでは、図３に示すように、放送番組のジャンル３１欄に表示されている、「ドラマ」、「アニメ」、「ニュース」等の中から例えば、「ドラマ」３１ａが選択／指定される。
【００５０】
また、ユーザは、この表示画面８を見ながら、上記選択／指定された「放送番組のジャンル（ここではドラマ）」の番組について、その「保存期間」を設定するために、例えば、上記放送番組のジャンル（ここではドラマ）の「保存期間」３２欄に表示されている、「２４時間」、「１週間」、「１ヶ月」、「２ヶ月」等の中から例えば、「１週間」３２ａが選択／指定される。
【００５１】
すなわち、ここでは、ユーザは、表示画面８を見ながら、「番組のジャンル」欄３１から「保存期間」の設定を行ないたい「放送番組のジャンル」である「ドラマ」３１ａを選択／指定し、この「放送番組のジャンル（ここではドラマ）」の番組について、「保存期間」３２欄に表示されている「１週間」３２ａを選択／指定する。
【００５２】
他のジャンルについても、上記と同様に行なうことで、「保存期間」を設定することができる。
【００５３】
ここでは、上記のように「保存期間」の設定入力が行なわれる。
【００５４】
図４は、実施形態に係わる録画装置から出力される、「保存期間」を設定する番組のジャンルを一覧表示し、「保存期間」を設定可能にする入力画面の一例を示す図である。
【００５５】
ここでは、録画番組の「保存期間」（録画保持時間）を、番組ジャンル毎に設定することが可能である。
【００５６】
上記と同様に、この実施形態においては、ユーザが、丸録りされる放送番組の「保存期間」を入力し、録画装置１に設定することが可能である。
【００５７】
ユーザは、例えば、リモコン２０を操作し、この図４に示す入力画面を表示装置の表示画面８に出力表示する。
【００５８】
そして、ユーザは、この表示画面８を見ながら、「保存期間」の設定を行ないたい「放送番組のジャンル」を選択し、所望の「保存期間」を入力し、設定する。
【００５９】
例えば、ここでは、「ニュース」４１ａは２４時間、「スポーツ」４１ｂは２４時間、「ドラマ」４１ｃは１週間、「音楽」４１ｄは１週間、「バラエティー」４１ｅは２４時間、「映画」４１ｆは２週間、「アニメ」４１ｇは２４時間、「その他」４１ｈは２４時間が入力され、設定される。
【００６０】
なお、ここでの所望の「保存期間」の入力は、上記と同様に、複数の候補の名から選択／指定できるように構成することも可能である。
【００６１】
図５は、実施形態に係わる録画装置から出力される、「保存期間設定番組の録画リスト」を示す図である。
【００６２】
この実施形態においては、上記のように、放送番組のジャンルに応じて「保存期間」が設定されている場合は、例えば、「保存期間」が設定されているジャンルに該当する放送番組の放送時間情報（例えば、ＥＰＧ情報から取得）と上記設定されている「保存期間」を用い、上記ジャンルに該当する放送番組の「保存日」を算出する。
【００６３】
例えば、この図５に示す「保存期間設定番組の録画リスト」には、上記録画（丸録り）された放送番組の中で、上記のように「保存期間」が設定され、「保存日」が算出された番組の録画リストが出力表示される。
【００６４】
ここでは、「ドラマ」の録画リストとして、それぞれ、「１．放送日は１２月１日、放送時間は１１：００ＡＭ〜１１：５０ＡＭ、番組名は「○○○」、放送局は「ＡＡ放送」保存日は１２月８日まで」、「２．放送日は１２月１日、放送時間は０１：３０ＰＭ〜０１：５８ＰＭ、番組名は「×××」、放送局は「ＢＢ放送」、保存日は１２月８日まで」、「３．放送日は１２月１日、放送時間は０２：００ＰＭ〜０２：５５ＰＭ、番組名は「○×○」、放送局は「ＣＣ放送」、保存日は１２月８日まで」等が出力表示される。
【００６５】
ここで、この実施形態に係る上記「保存日」の説明をする。
【００６６】
例えば、図５に示す「保存期間設定番組の録画リスト」の上記「２．放送日は１２月１日、放送時間は０１：３０ＰＭ〜０１：５８ＰＭ、番組名は「×××」、放送局は「ＢＢ放送」、保存日は１２月８日まで」５２を例にとり、説明を行う。
【００６７】
この例では、この放送番組「×××」の放送時間は、１２月１日、０１：３０ＰＭ〜０１：５８ＰＭである。
【００６８】
また、上記のように、ここでは、「ドラマ」の保存期間は、例えば、１週間が設定されている。
【００６９】
そして、例えば、ＥＰＧ情報から取得されたこの放送番組「×××」の放送時間（１２月１日、０１：３０ＰＭ〜０１：５８ＰＭ）と、上記設定されている「ドラマ」の保存期間（１週間）を用い、ここでは、「保存日」として１２月８日までを算出する。
【００７０】
なお、この「保存日」は、この例のように、１２月８日までとしても良いし、より詳細に１２月８日、０１：５８ＰＭまで等としても良い。
【００７１】
この上記ジャンルに該当する放送番組の「保存日」の算出は、例えば、制御部１１によって制御される。
【００７２】
そして、上記算出されたジャンルに該当する放送番組の「保存日」は、例えば、フラッシュメモリ１５に、電子データの形態で、記憶される。
【００７３】
そして、例えば、ユーザがリモコン２０を操作すると、図５に示すような「保存期間設定番組の録画リスト」の表示画面が出力される。
【００７４】
ここでは、録画（丸録り）された放送番組の中で、上記のように「保存期間」が設定され、上記「保存日」が算出された放送番組の録画リストが出力表示される。
【００７５】
図６は、実施形態に係わる録画装置の録画動作を説明するフローチャートである。
【００７６】
ステップＳ１００は、ここでの開始ステップである。続いて、ステップＳ１０１に進む。
【００７７】
ステップＳ１０１は、上記「丸録り」が設定されているかを検出するステップである。「丸録り」が設定されていると検出される場合は、ステップＳ１０２に進む（Ｙｅｓ）。「丸録り」が設定されていないと検出される場合は、ステップＳ１０７に進む（Ｎｏ）。
【００７８】
なお、「丸録り」とは、上記のように、複数の放送番組を同時に受信（マルチ受信）し、記録部に連続的に録画する放送番組の録画である。
【００７９】
ステップＳ１０２は、図２に示すように、複数の放送番組を複数のチューナ３で同時に受信し、録画部（記録部１６や外部記録装置１８等）に連続的に録画（丸録り）するステップである。続いて、ステップＳ１０３に進む。
【００８０】
ステップＳ１０３は、ジャンルに応じた保存期間の設定がされているかを検出するステップである。ジャンルに応じた保存期間の設定がされていると検出される場合は、ステップＳ１０４に進む（Ｙｅｓ）。ジャンルに応じた保存期間の設定がされていないと検出される場合は、ステップＳ１０７に進む（Ｎｏ）。
【００８１】
このジャンルに応じた保存期間の設定は、上記のように、例えば、図３や図４のような入力が面を表示し、ユーザの入力によって設定される。
【００８２】
ステップＳ１０４は、例えば、上記電子番組表（ＥＰＧ）データに含まれる番組の「ジャンル情報」や「放送時間情報」と、上記「ジャンル毎の保存期間の設定（１週間等）」を用いて、このジャンルに該当する番組の「保存日」を算出し、この算出された「保存日」を「保存期間」が設定された番組に対応付け（図５）、フラッシュメモリ１５に記憶するステップである。続いて、ステップＳ１０５に進む。
【００８３】
ステップＳ１０５は、上記「保存期間」が設定されているジャンルの番組を、上記丸録りの他に、録画部（記録部１６や外部記録装置１８等）に録画するステップである。
【００８４】
すなわち、ここでは、例えば、上記「保存期間」が設定されているジャンルの番組を、上記丸録りの他に、録画部（記録部１６や外部記録装置１８等）に録画する。
【００８５】
このように構成することにより、この実施形態においては、例えば、上記「丸録り」された放送番組が、ジャンルに係わらず、一律に消去されるように構成される場合においても、上記「保存期間」が設定されているジャンルの番組は、上記算出された「保存日」まで保存することが可能になる。
【００８６】
続いて、ステップＳ１０６に進む。
【００８７】
ステップＳ１０６は、終了ステップであり、ここでの処理は終了する。
【００８８】
このように構成することにより、この実施形態においては、例えば、上記電子番組表（ＥＰＧ）データに含まれる番組の「ジャンル情報」や「放送時間情報」と、上記「ジャンル毎の保存期間の設定（１週間等）」を用いて、このジャンルに該当する番組の「保存日」を算出し、この算出された「保存日」を「保存期間」が設定された番組に対応付け（図５）、フラッシュメモリ１５に記憶することが可能になる。
【００８９】
また、図５にしめすように、上記算出された録画番組の「保存日」を出力することが可能になる。
【００９０】
図７は、実施形態に係わる録画装置において、保存期間が設定された番組を再生する動作を説明するフローチャートである。
【００９１】
ステップＳ２００は、ここでの開始ステップである。続いて、ステップＳ２０１に進む。
【００９２】
ステップＳ２０１は、録画装置１が保存期間設定番組の録画リストを表示する指示を受けるステップである。続いて、ステップＳ２０２に進む。
【００９３】
ステップＳ２０２は、上記図５に示すように、フラッシュメモリ１５に記憶されたデータを用い、保存期間設定番組の録画リストを表示装置８に出力表示するステップである。続いて、ステップＳ２０３に進む。
【００９４】
ステップＳ２０３は、ユーザがリモコン２０を操作し、上記図５に示すように、所望の番組を指定し、再生を指示するステップである。続いて、ステップＳ２０４に進む。
【００９５】
ステップＳ２０４は、上記指定された番組はあるかを判別するステップである。指定された番組はあると判別される場合は、ステップＳ２０５に進む（Ｙｅｓ）。指定された番組はないと判別される場合は、ここでの処理を繰り返す（Ｎｏ）。
【００９６】
ステップＳ２０５は、指定された録画番組を再生するステップである。続いて、ステップＳ２０６に進む。
【００９７】
ステップＳ２０６は、終了ステップであり、ここでの処理は終了する。
【００９８】
上記のように構成することにより、この実施形態においては、ユーザの指示を受けた録画装置１は、図５に示すように、保存期間設定番組の録画リストを表示し、ユーザは、この保存期間設定番組の録画リストから所望の番組を指定し、再生指示することが可能になる。
【００９９】
図８は、実施形態に係わる録画装置において、設定された保存期間が過ぎた番組を消去する動作を説明するフローチャートである。
【０１００】
ステップＳ３００は、ここでの開始ステップである。続いて、ステップＳ３０１に進む。
【０１０１】
ステップＳ３０１は、上記のように、フラッシュメモリ１５に記憶された、図５に示すような、番組の保存日（保存期間）のデータを取得するステップである。続いて、ステップＳ３０２に進む。
【０１０２】
ステップＳ３０２は、例えば放送から現在時刻情報を取得し、上記のように、取得、算出された番組の保存日（保存期間）をフラッシュメモリ１５から取得するステップである。続いて、ステップＳ３０３に進む。
【０１０３】
ステップＳ３０３は、上記取得された現在時刻情報と、上記取得、算出された番組の保存日を比較し、保存日が過ぎた録画番組があるかを判別するステップである。保存日が過ぎた録画番組があると判別される場合は、ステップＳ３０４に進む（Ｙｅｓ）。保存日が過ぎた録画番組はないと判別される場合は、ステップＳ３０１に進み上記処理を繰り返す（Ｎｏ）。
【０１０４】
ステップＳ３０４は、上記保存日（保存期間）が過ぎた番組を、録画部（記録部１６や外部記録装置１８等）から消去するステップである。続いて、ステップＳ３０５に進む。
【０１０５】
ステップＳ３０５は、終了ステップであり、ここでの処理は終了する。
【０１０６】
このように構成することにより、この実施形態においては、保存日が過ぎた録画番組を自動的に消去し、ユーザの利便性を向上させることが可能になる。
【０１０７】
すなわち、この実施形態においては、録画装置１は、例えば、複数のチューナ（３ａ、３ｂ、３ｃ、３ｄ、３ｅ、３ｆ等）を用いて複数の放送番組を同時に受信し、記録部に連続的に録画するように構成している。
【０１０８】
また上記放送番組のジャンルに応じて「保存期間」が設定されている場合は、「保存期間」が設定されているジャンルに該当する放送番組の放送時間情報と上記設定されている「保存期間」を用い、上記ジャンルに該当する放送番組の「保存日」を算出するように構成している。
【０１０９】
また、上記算出された放送番組の「保存日」を出力するように構成している。
【０１１０】
また、上記ジャンルに応じた「保存期間」の設定に用いられる入力画面を出力するように構成している。
【０１１１】
また、上記ジャンルに応じた「保存期間」が設定された放送番組を、上記連続的な録画の他に、録画するように構成しても良い。
【０１１２】
また、上記ジャンルに応じた「保存期間」が設定され、録画された放送番組のリストを出力するように構成している。
【０１１３】
また、上記放送番組のリストで指定された番組を再生出力する再生出力部を備えるように構成している。
【０１１４】
また、上記算出された上記放送番組の「保存日」を記憶する記憶部を備えるように構成している。
【０１１５】
また、上記記憶された放送番組の「保存日」が過ぎたかを検出する検出部を備え、上記放送番組の「保存日」が過ぎたことが検出された場合に、「保存日」が過ぎた放送番組を消去指示するように構成している。
【０１１６】
上記のように構成することによって、この実施形態においては、丸録り番組において、ユーザの好みの番組を保存する期間をユーザが設定できるようにすることが可能になる。
【０１１７】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１８】
なお、上記実施形態は、記述そのものに限定されるものではなく、実施段階では、その趣旨を逸脱しない範囲で、構成要素を種々変形して具体化することが可能である。
【０１１９】
また、上記実施形態に開示されている複数の構成要素の適宜な組み合せにより種々の発明を形成できる。
【０１２０】
例えば、実施形態に示される全構成要素から幾つかの構成要素を削除してもよい。更に、異なる実施形態に亘る構成要素を適宜組み合せてもよい。
【符号の説明】
【０１２１】
１…録画装置、２…アンテナ、３ａ…チューナ、３b…チューナ、３c…チューナ、３d…チューナ、３e…チューナ、３f…チューナ、４…信号処理部、５…映像処理部、６…音声処理部、７…表示処理部、８…表示装置、９…スピーカ、１０…バス、１１…制御部、１２…ＭＰＵ、１３…ＲＡＭ、１４…ＲＯＭ、１５…フラッシュメモリ、１６…記録装置、１７…外部インターフェース、１８…外部記憶装置、１９…操作受信部、２０…操作機器（リモートコントローラ）、２１…送受信部、２２…録画番組表生成部、２３…番組表作成部、２５ａ…放送局、２５ｂ…放送局、２６…インターネット。
【図１】
2013131864.tif 000003
【図２】
2013131864.tif 000004
【図３】
2013131864.tif 000005
【図４】
2013131864.tif 000006
【図５】
2013131864.tif 000007
【図６】
2013131864.tif 000008
【図７】
2013131864.tif 000009
【図８】
2013131864.tif 000010